(57)【要約】【課題】外部の画像表示装置に画像を表示させる際の負荷の増大を抑制可能な情報処理装置、画像表示方法、及びプログラムを提供する。【解決手段】外部の画像表示装置の解像度が液晶ディスプレイ（一体的に備わる画像表示装置）の解像度よりも低い場合には、ＣＰＵは、液晶ディスプレイの画面１６ａに表示される画像（表示画像）の中から、ポインタＰが重畳されている位置を中心として外部の画像表示装置の解像度に応じた大きさの領域（以降、「部分画像ＷＰ」と呼ぶ。）を抽出してキャプチャし、この部分画像ＷＰを表す画像情報を生成する。その後、ＣＰＵは、生成した画像情報、即ちキャプチャした画像の画像情報を無線ＬＡＮデバイスから外部の画像表示装置に送信する。【選択図】図１０
2009192670.tif 000002
【特許請求の範囲】
【請求項１】
第１の画像表示装置、及び外部に備わる第２の画像表示装置に画像を表示させる情報処理装置であって、
前記第１の画像表示装置に、第１の画像情報を出力して前記第１の画像情報に基づく画像を表示させる第１の画像情報出力部と、
前記第２の画像表示装置の解像度が前記第１の画像表示装置の解像度よりも低い場合に、前記第１の画像情報に基づく画像の中から前記第２の画像表示装置の解像度に応じた大きさの領域を抽出して、前記領域内に含まれる画像を表す第２の画像情報を生成する画像抽出部と、
前記第２の画像表示装置に、前記第２の画像情報を出力して前記第２の画像情報に基づく画像を表示させる第２の画像情報出力部と、
を備えたことを特徴とする情報処理装置。
【請求項２】
請求項１に記載の情報処理装置であって、
前記画像抽出部によって抽出される領域の位置を変更する領域移動部をさらに備えたことを特徴とする情報処理装置。
【請求項３】
請求項２に記載の情報処理装置であって、
前記領域移動部は、ポインティングデバイスになされた移動操作に基づいて前記領域の位置を変更することを特徴とする情報処理装置。
【請求項４】
請求項１〜３のいずれか１項に記載の情報処理装置であって、
前記画像抽出部は、前記第１の画像表示装置に前記領域を囲む枠を表示させることを特徴とする情報処理装置。
【請求項５】
請求項１〜４のいずれか１項に記載の情報処理装置であって、
前記第２の画像情報出力部は、無線ネットワークを介して前記第２の画像表示装置に前記第２の画像情報を出力することを特徴とする情報処理装置。
【請求項６】
第１の画像表示装置、及び外部に備わる第２の画像表示装置に画像を表示させる情報処理装置の画像表示方法であって、
前記第１の画像表示装置に、第１の画像情報を出力して前記第１の画像情報に基づく画像を表示させる第１の画像情報出力ステップと、
前記第２の画像表示装置の解像度が前記第１の画像表示装置の解像度よりも低い場合に、前記第１の画像情報に基づく画像の中から、前記第２の画像表示装置の解像度に応じた大きさの領域を抽出して、前記領域内に含まれる画像を表す第２の画像情報を生成する画像抽出ステップと、
前記第２の画像表示装置に、前記第２の画像情報を出力して前記第２の画像情報に基づく画像を表示させる第２の画像情報出力ステップと、
を備えたことを特徴とする画像表示方法。
【請求項７】
第１の画像表示装置、及び外部に備わる第２の画像表示装置に画像を表示させるコンピュータに、
前記第１の画像表示装置に、第１の画像情報を出力して前記第１の画像情報に基づく画像を表示させる第１の画像情報出力ステップと、
前記第２の画像表示装置の解像度が前記第１の画像表示装置の解像度よりも低い場合に、前記第１の画像情報に基づく画像の中から、前記第２の画像表示装置の解像度に応じた大きさの領域を抽出して、前記領域内に含まれる画像を表す第２の画像情報を生成する画像抽出ステップと、
前記第２の画像表示装置に、前記第２の画像情報を出力して前記第２の画像情報に基づく画像を表示させる第２の画像情報出力ステップと、
を実行させるためのプログラム。
【発明の詳細な説明】
【技術分野】
【０００１】
本発明は、画像表示装置に画像を表示させる情報処理装置、画像表示方法、及びプログラムに関する。
【背景技術】
【０００２】
画像表示装置（第１の画像表示装置）が接続された（或いは、これを一体的に備えた）情報処理装置に、プロジェクタのように大画面表示が可能な外部の画像表示装置（第２の画像表示装置）を接続すれば、情報処理装置が出力する画像情報に基づく画像を多くの聴衆に示すことが可能となる。
【０００３】
特許文献１には、入力される画像情報（映像信号）の解像度を変更する拡大縮小処理手段（スケーリング手段）を備えた表示デバイスが提案されている。この表示デバイスを第２の画像表示装置に採用すれば、第１の画像表示装置と第２の画像表示装置の解像度が異なる場合であっても、第１の画像表示装置に表示される画像の全体を第２の画像表示装置で大きなサイズで表示することが可能となる。
【０００４】
また、近年、プロジェクタ等の画像表示装置と情報処理装置との一時的な接続を簡便にするために、ネットワーク（無線ネットワークを含む）やＵＳＢ（Universal Serial Bus）を経由して画像情報を伝送可能な技術が採用されている。
【０００５】
【特許文献１】特開２００３−８４７３８号公報
【発明の開示】
【発明が解決しようとする課題】
【０００６】
しかしながら、ネットワークやＵＳＢによる画像情報の伝送は、映像ケーブル（ＲＧＢケーブル）による伝送と比べて通信速度が遅いため、第１の画像表示装置の解像度が比較的高い場合、即ち伝送すべき情報量が多い場合に、動画像等を表示する際の画像の動きを滑らかに再現することが困難であった。第２の画像表示装置に比べて第１の画像表示装置の解像度が高い場合に伝送すべき情報量を削減するためには、情報処理装置で予め画像を縮小させてから画像情報を出力するようにすればよい。しかしながら、この場合には、画像の縮小処理に伴って負荷が増えるため、情報処理装置に高い処理能力が必要になってしまうという問題を有している。
【課題を解決するための手段】
【０００７】
本発明は、上述の課題の少なくとも一部を解決するためになされたものであり、以下の形態又は適用例として実現することが可能である。
【０００８】
［適用例１］本適用例に係る情報処理装置は、第１の画像表示装置、及び外部に備わる第２の画像表示装置に画像を表示させる情報処理装置であって、前記第１の画像表示装置に、第１の画像情報を出力して前記第１の画像情報に基づく画像を表示させる第１の画像情報出力部と、前記第２の画像表示装置の解像度が前記第１の画像表示装置の解像度よりも低い場合に、前記第１の画像情報に基づく画像の中から前記第２の画像表示装置の解像度に応じた大きさの領域を抽出して、前記領域内に含まれる画像を表す第２の画像情報を生成する画像抽出部と、前記第２の画像表示装置に、前記第２の画像情報を出力して前記第２の画像情報に基づく画像を表示させる第２の画像情報出力部と、を備えたことを特徴とする。
【０００９】
この情報処理装置によれば、第２の画像表示装置の解像度が第１の画像表示装置の解像度よりも低い場合に、画像抽出部が、第１の画像情報に基づく画像の中から第２の画像表示装置の解像度に応じた大きさの領域を抽出して第２の画像情報を生成し、第２の画像情報出力部が、この第２の画像情報を第２の画像表示装置に出力するようにしている。このため、領域を抽出することにより第２の画像表示装置に伝送すべき情報量が削減されるとともに、画像を縮小させる処理を行っていないため、情報処理装置に掛かる負荷の増大を抑制することが可能となる。なお、第１の画像表示装置は、情報処理装置に一体的に備わっている構成であってもよいし、外部に備わる構成であってもよい。
【００１０】
［適用例２］上記適用例に係る情報処理装置において、前記画像抽出部によって抽出される領域の位置を変更する領域移動部をさらに備えることが望ましい。
【００１１】
この情報処理装置によれば、画像抽出部によって抽出される領域の位置を変更する領域移動部をさらに備えているため、第２の画像表示装置に表示される領域が固定されることがなく、第１の画像表示装置に表示される画像内の所望の領域を第２の画像表示装置に表示させることが可能となる。
【００１２】
［適用例３］上記適用例に係る情報処理装置において、前記領域移動部は、ポインティングデバイスになされた移動操作に基づいて前記領域の位置を変更することが望ましい。
【００１３】
この情報処理装置によれば、ポインティングデバイスになされた移動操作に基づいて領域の位置を変更するため、領域の位置を容易に変更することが可能となる。
【００１４】
［適用例４］上記適用例に係る情報処理装置において、前記画像抽出部は、前記第１の画像表示装置に前記領域を囲む枠を表示させることが望ましい。
【００１５】
この情報処理装置によれば、画像抽出部によって抽出される領域を囲む枠が第１の画像表示装置に表示されるため、抽出される領域、即ち第２の画像表示装置に表示される画像を容易に認識することが可能となる。
【００１６】
［適用例５］上記適用例に係る情報処理装置において、前記第２の画像情報出力部は、無線ネットワークを介して前記第２の画像表示装置に前記第２の画像情報を出力することが望ましい。
【００１７】
この情報処理装置によれば、第２の画像情報出力部が無線ネットワークを介して第２の画像情報を出力する構成であるため、情報処理装置と第２の画像表示装置とのケーブル接続が不要となり、レイアウトの自由度が高まる。
【００１８】
［適用例６］本適用例に係る画像表示方法は、第１の画像表示装置、及び外部に備わる第２の画像表示装置に画像を表示させる情報処理装置の画像表示方法であって、前記第１の画像表示装置に、第１の画像情報を出力して前記第１の画像情報に基づく画像を表示させる第１の画像情報出力ステップと、前記第２の画像表示装置の解像度が前記第１の画像表示装置の解像度よりも低い場合に、前記第１の画像情報に基づく画像の中から、前記第２の画像表示装置の解像度に応じた大きさの領域を抽出して、前記領域内に含まれる画像を表す第２の画像情報を生成する画像抽出ステップと、前記第２の画像表示装置に、前記第２の画像情報を出力して前記第２の画像情報に基づく画像を表示させる第２の画像情報出力ステップと、を備えたことを特徴とする。
【００１９】
この画像表示方法によれば、第２の画像表示装置の解像度が第１の画像表示装置の解像度よりも低い場合に、第１の画像情報に基づく画像の中から第２の画像表示装置の解像度に応じた大きさの領域を抽出して第２の画像情報を生成し、この第２の画像情報を第２の画像表示装置に出力するようにしている。このため、領域を抽出することにより第２の画像表示装置に伝送すべき情報量が削減されるとともに、画像を縮小させる処理を行っていないため、情報処理装置に掛かる負荷の増大を抑制することが可能となる。
【００２０】
［適用例７］本適用例に係るプログラムは、第１の画像表示装置、及び外部に備わる第２の画像表示装置に画像を表示させるコンピュータに、前記第１の画像表示装置に、第１の画像情報を出力して前記第１の画像情報に基づく画像を表示させる第１の画像情報出力ステップと、前記第２の画像表示装置の解像度が前記第１の画像表示装置の解像度よりも低い場合に、前記第１の画像情報に基づく画像の中から、前記第２の画像表示装置の解像度に応じた大きさの領域を抽出して、前記領域内に含まれる画像を表す第２の画像情報を生成する画像抽出ステップと、前記第２の画像表示装置に、前記第２の画像情報を出力して前記第２の画像情報に基づく画像を表示させる第２の画像情報出力ステップと、を実行させる。
【００２１】
このプログラムによれば、第２の画像表示装置の解像度が第１の画像表示装置の解像度よりも低い場合に、第１の画像情報に基づく画像の中から第２の画像表示装置の解像度に応じた大きさの領域を抽出して第２の画像情報を生成し、この第２の画像情報を第２の画像表示装置に出力するようにしている。このため、領域を抽出することにより第２の画像表示装置に伝送すべき情報量が削減されるとともに、画像を縮小させる処理を行っていないため、情報処理装置に掛かる負荷の増大を抑制することが可能となる。なお、第１の画像表示装置は、情報処理装置に一体的に備わっている構成であってもよいし、外部に備わる構成であってもよい。
【００２２】
また、上記形態及び上記適用例は、前記プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、情報処理装置の内部記憶装置（ＲＡＭやＲＯＭ等のメモリ）、及び外部記憶装置等、前記コンピュータが読み取り可能な種々の媒体を利用することができる。
【発明を実施するための最良の形態】
【００２３】
以下、本実施形態の情報処理装置であるパーソナルコンピュータ（以降、単に「コンピュータ」ともいう。）について説明する。
図１は、本実施形態のコンピュータを示す斜視図である。
図１に示すように、コンピュータ１は、ノート型のパーソナルコンピュータであり、画像表示装置である液晶ディスプレイ１６、入力装置であるキーボード２０、及びポインティングデバイスであるタッチパッド２１を一体的に備えて構成されている。また、コンピュータ１は、各種インターフェイスを備えており、外付け（外部）の画像表示装置２や外付けのマウス３０を接続可能になっている。また、コンピュータ１は、外部の装置との間で無線ＬＡＮ（Local Area Network）によるネットワーク通信が可能になっており、同じく無線ＬＡＮによるネットワーク通信が可能な画像表示装置２に対して画像情報を無線で供給することができる。画像表示装置２は、例えば、プロジェクタであり、コンピュータ１から画像情報の供給を受けて、この画像情報に応じた画像をその画面（プロジェクタの場合には投写面）２ａ上に表示する。
【００２４】
図２は、コンピュータ１の回路構成を示すブロック図である。
図２に示すように、コンピュータ１は、ＣＰＵ（Central Processing Unit）１１、２つのブリッジ回路（ノースブリッジ１２、及びサウスブリッジ１３）、ＲＡＭ（Random Access Memory）１４、ビデオコントローラ１５、液晶ディスプレイ１６、ハードディスクドライブ１７、光ディスクドライブ１８、ＢＩＯＳ（Basic Input/Output System）が書き込まれたＢＩＯＳ−ＲＯＭ（Read Only Memory）１９、キーボード２０、タッチパッド２１等を備えている。
【００２５】
ＣＰＵ１１は、ＢＩＯＳ−ＲＯＭ１９に書き込まれたＢＩＯＳ、或いはＲＡＭ１４に読み出された各種プログラムに従って動作することにより、コンピュータ１の動作を統括制御する。
【００２６】
ノースブリッジ１２は、ＣＰＵ１１とサウスブリッジ１３との間のブリッジ処理、ＲＡＭ１４の制御、及びビデオコントローラ１５の制御等を行う。ＲＡＭ１４は、ＤＲＡＭ（Dynamic RAM）で構成され、ハードディスクドライブ１７から読み出されたＯＳ（Operating System）やアプリケーションプログラム等を記憶する。また、ＲＡＭ１４は、プログラム実行中における各種データの一時記憶等に用いられる。
【００２７】
ビデオコントローラ１５は、液晶ディスプレイ１６に対する画像表示を制御する。ビデオコントローラ１５は、ＶＲＡＭ（Video RAM）１５ａを備えており、ＯＳやアプリケーションプログラムを実行するＣＰＵ１１の指示に基づいて、ＶＲＡＭ１５ａ上にフレーム（画面）単位で順次画像情報を生成し、生成した画像情報を液晶ディスプレイ１６に出力して、液晶ディスプレイ１６に画像情報に基づく画像を表示させる。
【００２８】
液晶ディスプレイ１６は、一対の透明基板間に液晶が封入された透過型の液晶パネルと、液晶パネルの背面側から白色光を照射するバックライトユニットと、液晶パネルを駆動する駆動回路（いずれも図示せず）等を備えている。液晶パネルの内面には、マトリクス状に配列された多数の画素が形成されている。各画素は、赤色（Ｒ）、緑色（Ｇ）、青色（Ｂ）の各色光をそれぞれ透過可能な３つのサブ画素を含んでおり、液晶に対してサブ画素毎に駆動電圧を印加可能になっている。駆動回路が、ビデオコントローラ１５から入力される画像情報に応じた駆動電圧を各サブ画素に印加すると、各サブ画素は、画像情報に応じた光透過率に設定される。このため、バックライトユニットから照射された光は、この液晶パネルを透過することによって変調され、画像情報に応じた画像が液晶パネルの前面側、即ち、液晶ディスプレイ１６の画面１６ａ（図１参照）上に表示される。液晶ディスプレイ１６の解像度（画素数）としては、ＵＸＧＡ（１６００×１２００画素）、ＳＸＧＡ（１２８０×１０２４画素）、ＸＧＡ（１０２４×７６８画素）等があり、ビデオコントローラ１５は、液晶ディスプレイ１６の解像度に応じた画像情報を生成して出力する。
【００２９】
サウスブリッジ１３には、各種インターフェイス回路が内蔵されており、ハードディスクドライブ１７、光ディスクドライブ１８、ＢＩＯＳ−ＲＯＭ１９、キーボード２０、タッチパッド２１、無線ＬＡＮデバイス２２等が接続されている。ハードディスクドライブ１７は、インストールされたＯＳやアプリケーションプログラム、各種データ等を記憶する。光ディスクドライブ１８は、ＣＤ（Compact Disc）やＤＶＤ（Digital Versatile Disc）等の光ディスクからのデータの読み出しや、光ディスクへのデータの書き込みを行う。
【００３０】
ＢＩＯＳ−ＲＯＭ１９には、ＢＩＯＳが格納されている。ＢＩＯＳは、コンピュータ１の起動時にＣＰＵ１１によって読み出されて各種初期化処理やＯＳの起動を行うプログラムとともに、ビデオコントローラ１５、ハードディスクドライブ１７、キーボード２０等の入出力デバイスを制御するプログラムを含んでおり、これら入出力デバイスに対する基本的な入出力制御をＯＳやアプリケーションプログラムに提供する。ＯＳやアプリケーションプログラムを実行するＣＰＵ１１は、直接、或いはＢＩＯＳを介してこれらの入出力デバイスとの入出力を行うことができる。
【００３１】
キーボード２０は、キー操作によって文字や制御コード等を入力するための入力装置であり、タッチパッド２１は、液晶ディスプレイ１６等に表示されるポインタＰ（図１参照）の移動操作やクリック操作等を行うためのポインティングデバイスである。キーボード２０及びタッチパッド２１は、ユーザによってなされた操作に基づく操作信号をサウスブリッジ１３に出力し、サウスブリッジ１３は、この操作信号をノースブリッジ１２を介してＣＰＵ１１に伝達する。
【００３２】
無線ＬＡＮデバイス２２は、外部の装置と無線ＬＡＮによるネットワーク通信を行うものであり、同じく無線ＬＡＮによるネットワーク通信が可能な画像表示装置２との間でデータ通信を行ったり、画像表示装置２に対して画像情報を送信（出力）したりすることができる。
【００３３】
また、サウスブリッジ１３は、図示しないＵＳＢ（Universal Serial Bus）インターフェイスを備えており、ＵＳＢ端子１３ａを介して外部の入出力装置と接続可能になっている。このＵＳＢ端子１３ａに、外付けのポインティングデバイスであるマウス３０を接続すれば、ユーザは、内蔵するタッチパッド２１の代わりにマウス３０を用いて各種操作を行うことが可能となる。
【００３４】
次に、画像表示装置２の概略構成について、プロジェクタを例にして説明する。
図３は、画像表示装置２の概略構成を示すブロック図である。
図３に示すように、画像表示装置２は、画像投写部４０、制御部５０、入力操作部５１、無線ＬＡＮ通信部５２、画像処理部５３等で構成されている。
【００３５】
画像投写部４０は、光源４１、光変調装置としての３つの液晶ライトバルブ４２Ｒ，４２Ｇ，４２Ｂ、投写光学系としての投写レンズ４３、ライトバルブ駆動部４４等で構成されている。画像投写部４０は、光源４１から射出された光を、液晶ライトバルブ４２Ｒ，４２Ｇ，４２Ｂで変調して画像（画像光）を形成し、この画像を投写レンズ４３から投写してスクリーン等の投写面２ａに表示する。
【００３６】
光源４１は、超高圧水銀ランプやメタルハライドランプ等からなる放電型の光源ランプ４１ａと、光源ランプ４１ａが放射した光を液晶ライトバルブ４２Ｒ，４２Ｇ，４２Ｂ側に反射するリフレクタ４１ｂとを含んで構成されている。光源４１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ４２Ｒ，４２Ｇ，４２Ｂに入射する。
【００３７】
液晶ライトバルブ４２Ｒ，４２Ｇ，４２Ｂは、それぞれ一対の透明基板間に液晶が封入された透過型の液晶パネル（図示せず）等によって構成される。各液晶パネルには、マトリクス状に配列された複数の画素が形成されており、液晶に対して画素毎に駆動電圧を印加可能になっている。液晶ライトバルブ４２Ｒ，４２Ｇ，４２Ｂには、例えば、１０２４×７６８画素の解像度（画素数）を有する液晶パネルが用いられる。
【００３８】
ライトバルブ駆動部４４が、入力される画像情報に応じた駆動電圧を各画素に印加すると、各画素は、画像情報に応じた光透過率に設定される。このため、光源４１から射出された光は、この液晶ライトバルブ４２Ｒ，４２Ｇ，４２Ｂを透過することによって変調され、画像情報に応じた画像光が色光毎に形成される。形成された各色の画像光は、図示しない色合成光学系によって画素毎に合成されてカラー画像を表す画像光となった後、投写レンズ４３によって投写面２ａに拡大投写される。
【００３９】
制御部５０は、ＣＰＵや、各種データ等の一時記憶に用いられるＲＡＭ、不揮発性のメモリからなるＲＯＭ等を備え、ＲＯＭに記憶されている制御プログラムに従って動作することにより画像表示装置２の動作を統括制御する。
【００４０】
入力操作部５１は、ユーザが画像表示装置２に対して各種指示を行うための複数の操作キーを備えている。入力操作部５１が備える操作キーとしては、電源のオン・オフを切り替えるための「電源キー」、各種設定を行うための設定メニューを表示させる「メニューキー」等がある。ユーザが入力操作部５１の各種操作キーを操作すると、入力操作部５１は、ユーザの操作内容に応じた操作信号を制御部５０に出力する。なお、入力操作部５１として、遠隔操作が可能なリモコン（図示せず）を用いた構成としてもよい。この場合、リモコンは、ユーザの操作内容に応じた赤外線の操作信号を発信し、図示しないリモコン信号受信部がこれを受信して制御部５０に伝達する。
【００４１】
無線ＬＡＮ通信部５２は、無線ＬＡＮによるネットワーク通信を行うためのものであり、制御部５０は、外部の装置と無線ＬＡＮ通信部５２を介して制御情報等の送受信を行うことができる。また、無線ＬＡＮ通信部５２が画像情報を受信した場合には、無線ＬＡＮ通信部５２は、受信した画像情報を画像処理部５３に出力する。
【００４２】
画像処理部５３は、無線ＬＡＮ通信部５２から入力される画像情報を、液晶ライトバルブ４２Ｒ，４２Ｇ，４２Ｂの各画素の階調を表す画像情報、即ち各画素に印加する駆動電圧を規定するための画像情報に変換する。さらに、制御部５０の指示に基づいて、変換した画像情報に対して、明るさ、コントラスト、シャープネス、色合い等の画質を調整するための処理等を行う。画像処理部５３で画質調整等がなされた画像情報は、ライトバルブ駆動部４４に出力される。
【００４３】
ライトバルブ駆動部４４が、入力される画像情報に従って液晶ライトバルブ４２Ｒ，４２Ｇ，４２Ｂを駆動すると、液晶ライトバルブ４２Ｒ，４２Ｇ，４２Ｂは、画像情報に応じた画像（画像光）を形成し、この画像が投写レンズ４３から投写面２ａに投写される。
【００４４】
次に、コンピュータ１の動作について、図２を参照して説明する。
コンピュータ１に電源が投入されると、ＣＰＵ１１は、ＢＩＯＳ−ＲＯＭ１９に記憶されているＢＩＯＳに従ってブート処理を行い、ハードディスクドライブ１７に記憶されているＯＳを起動し（ＲＡＭ１４に読み込み）、ＯＳに従った動作を開始する。そして、ＣＰＵ１１は、液晶ディスプレイ１６からその解像度を表す情報（解像度情報）を取得するとともに、液晶ディスプレイ１６の画面１６ａに所定の画像（初期画面）を表示させるべく、ビデオコントローラ１５に指示をして液晶ディスプレイ１６の解像度に応じた画像情報を生成させる。
【００４５】
本実施形態のコンピュータ１に採用されているＯＳは、ＧＵＩ（Graphical User Interface）を備えたものであり、ユーザは、キーボード２０の他に、タッチパッド２１やマウス３０等のポインティングデバイスを操作することによってコンピュータ１に各種指示を与えることが可能になっている。
【００４６】
ＯＳが起動すると、ＣＰＵ１１は、ビデオコントローラ１５に指示をして、液晶ディスプレイ１６に表示されている画像上にポインタＰを重畳表示させる。ＯＳには、タッチパッド２１やマウス３０と通信を行うためのデバイスドライバが含まれており、ＣＰＵ１１は、このデバイスドライバによってタッチパッド２１やマウス３０になされた移動操作やクリック操作を検出することができる。そして、タッチパッド２１やマウス３０に対して移動操作がなされると、ＣＰＵ１１は、ポインタＰを重畳させる位置を、ユーザの移動操作に応じて変更することにより、ポインタＰを移動させる。
【００４７】
ＯＳの起動が完了すると、コンピュータ１は、アプリケーションプログラムの起動が可能な状態となり、ユーザは、キーボード２０、タッチパッド２１、或いはマウス３０等を操作して所望のアプリケーションプログラムの起動を指示することができる。アプリケーションプログラムの起動が指示されると、ＣＰＵ１１は、指示されたアプリケーションプログラムをハードディスクドライブ１７からＲＡＭ１４に読み込んで、このアプリケーションプログラムに従った動作を開始する。本実施形態のハードディスクドライブ１７には、アプリケーションプログラムとして、文書を作成するためのワードプロセッサや、数値データの集計等に用いられる表計算ソフトウェア、プレゼンテーション用のスライドの作成や表示を行うためのプレゼンテーションソフトウェア等の他に、画像表示装置２と無線ＬＡＮ接続を行って画像情報等の送信を行うためのアプリケーションプログラム（無線ＬＡＮ接続ツールＣＴ）が記憶されている。
【００４８】
ＯＳが起動した状態のコンピュータ１に対して、ユーザが無線ＬＡＮ接続ツールＣＴの起動を指示すると、ＣＰＵ１１は、ハードディスクドライブ１７に記憶されている無線ＬＡＮ接続ツールＣＴをＲＡＭ１４に読み出して、このプログラムに従った動作を開始する。
【００４９】
図４及び図５は、無線ＬＡＮ接続ツールＣＴに基づくコンピュータ１の動作を説明するためのフローチャートであり、図６〜図１０は、無線ＬＡＮ接続ツールＣＴに基づくコンピュータ１の動作を説明するための説明図である。ここで、図９（ａ）〜（ｄ）及び図１０（ａ）、（ｂ）は、液晶ディスプレイ１６の画面１６ａ及び外部の画像表示装置２の画面（投射面）２ａを示す図である。無線ＬＡＮ接続ツールＣＴが起動すると、ＣＰＵ１１は、図４に示すフローに従って動作する。
【００５０】
図４に示すように、まず、ＣＰＵ１１は、液晶ディスプレイ１６にモード選択ウィンドウＷ１（図６参照）を表示させて無線ＬＡＮのアクセスモードをユーザに選択させる（ステップＳ１０１）。図６に示すように、モード選択ウィンドウＷ１では、アクセスポイントを介さずに１対１で通信を行う「アドホックモード」と、アクセスポイントを介して複数の画像表示装置２と接続が可能な「インフラストラクチャモード」とが選択可能になっており、ユーザは、モード選択ウィンドウＷ１に備わるラジオボタンＲＢをクリック操作することによっていずれか１つのアクセスモードを選択することができる。
【００５１】
ユーザによりアクセスモードが選択され、モード選択ウィンドウＷ１に備わるＯＫボタンＢ１がクリック操作されると、ＣＰＵ１１は、無線ＬＡＮ接続が可能な画像表示装置２を検索する（ステップＳ１０２）。具体的には、ＣＰＵ１１は、無線ＬＡＮデバイス２２によりブロードキャストを行って、無線ＬＡＮ接続が可能な画像表示装置２からそれぞれの識別名及びＩＰアドレスを返信させてこれらを取得する。その後、ＣＰＵ１１は、この検索結果を含んだ接続ウィンドウＷ２（図７、図９（ａ）参照）を、液晶ディスプレイ１６の画面１６ａ上に表示させる（ステップＳ１０３）。
【００５２】
図７に示すように、接続ウィンドウＷ２には、検索された画像表示装置２のリストＤＬが表示されており、このリストＤＬには、各画像表示装置２の接続状況（ステータス）に加えて、取得した識別名及びＩＰアドレスが含まれている。また、リストＤＬには、検索された画像表示装置２毎にチェックボックスＣＢが付されており、ユーザは、このチェックボックスＣＢをクリック操作することによって接続対象とすべき画像表示装置２を指定することができる。なお、アクセスモードにアドホックモードが選択されている場合には、ユーザは、１台の画像表示装置２のみを指定可能であり、アクセスモードにインフラストラクチャモードが選択されている場合には、ユーザは、複数台の画像表示装置２を指定することができる。接続ウィンドウＷ２の右下には、接続ボタンＢ２が備えられており、ユーザは、接続すべき画像表示装置２を指定した後で接続ボタンＢ２をクリック操作することにより、指定した画像表示装置２との無線ＬＡＮ接続を行うことができる。
【００５３】
ユーザにより接続ボタンＢ２がクリック操作されて、ＣＰＵ１１がこの操作を検出すると、ＣＰＵ１１は、図５に示すフローに従って動作する。
【００５４】
図５に示すように、ステップＳ１１１では、ＣＰＵ１１は、指定された画像表示装置２との無線ＬＡＮ接続を実行する。具体的には、ＣＰＵ１１は、指定された画像表示装置２に対して、無線ＬＡＮデバイス２２から接続要求コマンドを送信する。画像表示装置２がこの接続要求コマンドに応答して、接続を許可する接続応答コマンドをコンピュータ１に送信し、コンピュータ１の無線ＬＡＮデバイス２２がこれを受信すると、コンピュータ１と画像表示装置２との無線ＬＡＮ接続が確立する。
【００５５】
ステップＳ１１２では、ＣＰＵ１１は、ビデオコントローラ１５に指示をして、接続ウィンドウＷ２を画面１６ａ上から消去させるとともに、画面１６ａ上にツールバーＷ３（図８、図９（ｂ）参照）を表示させる。ツールバーＷ３には、図８に示すように、画像表示装置２の表示状態を制御するための各種ボタンとともに、無線ＬＡＮ接続を切断するための切断ボタンＢ３が含まれている。
【００５６】
次いで、ステップＳ１１３では、ＣＰＵ１１は、無線ＬＡＮ接続されている画像表示装置２に対して、解像度を表す情報（解像度情報）の出力を無線ＬＡＮデバイス２２を介して要求し、画像表示装置２から返信される解像度情報を無線ＬＡＮデバイス２２を介して取得する。なお、解像度情報は、ステップＳ１０２において画像表示装置２を検索する際に、識別名やＩＰアドレスと一緒に取得するようにしてもよい。
【００５７】
ステップＳ１１４では、ＣＰＵ１１は、画像表示装置２の解像度と液晶ディスプレイ１６の解像度とを比較して、画像表示装置２の解像度が液晶ディスプレイ１６の解像度よりも低いか否かを判断する。そして、画像表示装置２の解像度が液晶ディスプレイ１６の解像度よりも低い場合にはステップＳ１１８に移行し、画像表示装置２の解像度が液晶ディスプレイ１６の解像度と同一、或いはそれよりも高い場合にはステップＳ１１５に移行する。なお、コンピュータ１が複数の画像表示装置２と無線ＬＡＮ接続されている場合には、その中で最も解像度の低い画像表示装置２と解像度の比較を行う。
【００５８】
画像表示装置２の解像度が液晶ディスプレイ１６の解像度と同一、或いはそれよりも高く、ステップＳ１１５に移行した場合には、ＣＰＵ１１は、液晶ディスプレイ１６に表示される画像（以降、「表示画像」と呼ぶ。）の全体をキャプチャし、続くステップＳ１１６では、キャプチャした画像の画像情報を無線ＬＡＮデバイス２２から画像表示装置２に送信する。この結果、図９（ｃ）に示すように、画像表示装置２の画面２ａ上には、コンピュータ１から送信される画像情報に応じた画像、即ち液晶ディスプレイ１６の画面１６ａに表示されている画像と略同一の画像が表示される。なお、無線ＬＡＮ接続ツールＣＴは、ポインタＰ及びツールバーＷ３を含まない画像をキャプチャさせるようになっており、画像表示装置２の画面２ａには、ポインタＰ及びツールバーＷ３は表示されない。
【００５９】
その後、ユーザは、所望のアプリケーションプログラムを起動させてファイルを開く操作等を行うことにより、図９（ｄ）に示すように、液晶ディスプレイ１６の画面１６ａ上に所望の画像Ｗ４を表示させることが可能であり、液晶ディスプレイ１６に画像Ｗ４が表示されると、画像表示装置２の画面２ａ上にも、画像Ｗ４のすべての範囲が表示される。なお、画像Ｗ４を表示させるための操作は、無線ＬＡＮ接続ツールＣＴを起動する前に行うようにしてもよい。また、ツールバーＷ３は、常に最前面に表示される設定がなされており、ツールバーＷ３を表示させた後に画像Ｗ４を全画面で表示させた場合でも、液晶ディスプレイ１６の画面１６ａ上でツールバーＷ３が画像Ｗ４に隠れることはない。
【００６０】
ステップＳ１１７では、ＣＰＵ１１は、ユーザによってツールバーＷ３の切断ボタンＢ３がクリック操作されたか否かを判断する。そして、切断ボタンＢ３がクリック操作された場合にはステップＳ１２１に移行し、切断ボタンＢ３がクリック操作されていない場合には、ステップＳ１１５に戻って、表示画像全体のキャプチャと画像情報の送信とを継続する。
【００６１】
一方、ステップＳ１１４において画像表示装置２の解像度が液晶ディスプレイ１６の解像度よりも低く、ステップＳ１１８に移行した場合には、ＣＰＵ１１は、液晶ディスプレイ１６に表示される表示画像の中から、ポインタＰが重畳されている位置を中心として画像表示装置２の解像度に応じた大きさの領域（以降、「部分画像」と呼ぶ。）を抽出してキャプチャし、この部分画像を表す画像情報を生成する。なお、コンピュータ１が複数の画像表示装置２と無線ＬＡＮ接続されている場合には、その中で最も解像度の低い画像表示装置２の解像度に応じた大きさの部分画像を抽出する。続くステップＳ１１９では、ＣＰＵ１１は、生成した画像情報、即ちキャプチャした画像の画像情報を無線ＬＡＮデバイス２２から画像表示装置２に送信する。
【００６２】
例えば、図１０（ａ）に示すように、液晶ディスプレイ１６の解像度が１６００×１２００画素であり、画像表示装置２の解像度が１０２４×７６８画素の場合において、液晶ディスプレイ１６の画面１６ａ上に画像Ｗ４が表示されると、この画像Ｗ４の中から、ポインタＰが重畳されている位置を中心とする１０２４×７６８画素の部分画像ＷＰが抽出され、この部分画像ＷＰが画像表示装置２の画面２ａ上に表示される。
【００６３】
ステップＳ１２０では、ＣＰＵ１１は、ユーザによってツールバーＷ３の切断ボタンＢ３がクリック操作されたか否かを判断する。そして、切断ボタンＢ３がクリック操作された場合にはステップＳ１２１に移行し、切断ボタンＢ３がクリック操作されていない場合には、ステップＳ１１８に戻って、部分画像ＷＰのキャプチャと画像情報の送信とを継続する。
【００６４】
このように、本実施形態では、ポインタＰが重畳されている位置を中心にして部分画像ＷＰを抽出するため、ユーザは、タッチパッド２１やマウス３０に対する移動操作を行うことによって、画像表示装置２に表示させる領域の位置を変更することができる（図１０（ｂ）参照）。即ち、抽出される部分画像ＷＰは、液晶ディスプレイ１６に表示されるポインタＰに追従するように表示画像内を移動する。なお、ポインタＰが表示画像の周縁部近傍にある場合で、部分画像ＷＰが表示画像の外側にはみ出してしまう場合には、はみ出した領域を黒色等で塗りつぶすようにしてもよいし、部分画像ＷＰが表示画像からはみ出すことがないよう、表示画像の周縁部では部分画像ＷＰをポインタＰに追従させないようにしてもよい。また、ユーザによる所定の操作、例えば、キーボード２０に対する所定のキー操作（ホットキーの操作）等がなされた場合に、表示画像に対する部分画像ＷＰの位置を固定するようにしてもよい。さらに、図１０（ａ）、（ｂ）において破線で示すように、液晶ディスプレイ１６の画面１６ａ上に、部分画像ＷＰを囲む枠を表示するようにすれば、画面１６ａのみを見ている状態でも、画面２ａに表示される領域（部分画像ＷＰ）を容易に認識することが可能となる。
【００６５】
ステップＳ１１７或いはステップＳ１２０において切断ボタンＢ３がクリック操作されてステップＳ１２１に移行した場合には、ＣＰＵ１１は、画像表示装置２に対する画像情報の送信を停止するとともに、画像表示装置２との無線ＬＡＮ接続を切断すべく、無線ＬＡＮ接続されている画像表示装置２に対して、無線ＬＡＮデバイス２２から切断要求コマンドを送信する。画像表示装置２がこの切断要求コマンドに応じて所定の切断処理を施した後で、処理が完了したことを示す切断完了コマンドをコンピュータ１に送信し、コンピュータ１の無線ＬＡＮデバイス２２がこれを受信すると、コンピュータ１と画像表示装置２との無線ＬＡＮ接続が切断される。
【００６６】
その後、ステップＳ１２２では、ＣＰＵ１１は、ビデオコントローラ１５に指示をして、液晶ディスプレイ１６の画面１６ａ上からツールバーＷ３を消去させるとともに、画面１６ａ上に接続ウィンドウＷ２を再び表示させ（図９（ａ）参照）、フローを終了する。接続ウィンドウＷ２が表示された状態では、ユーザは、画像表示装置２を指定して接続ボタンＢ２をクリック操作することにより、新たな無線ＬＡＮ接続を行うことができる。また、接続ウィンドウＷ２の右上に備わる終了ボタンＢＥ（図７参照）がユーザによりクリック操作された場合には、ＣＰＵ１１は、無線ＬＡＮ接続ツールＣＴを終了させる。
【００６７】
以上説明したように、本実施形態のコンピュータ１によれば、以下の効果を得ることができる。
【００６８】
（１）本実施形態のコンピュータ１によれば、画像表示装置２の解像度が液晶ディスプレイ１６の解像度よりも低い場合に、液晶ディスプレイ１６に表示される表示画像の中から、画像表示装置２の解像度に応じた大きさの部分画像ＷＰを抽出し、この部分画像ＷＰの画像情報を画像表示装置２に送信している。このため、表示画像全体の画像情報を送信する場合に比べて、画像表示装置２に送信すべき情報量が削減されるとともに、画像を縮小させる処理を行っていないため、コンピュータ１に掛かる負荷の増大を抑制することが可能となる。また、画像表示装置２に高解像度（画像表示装置２の解像度を超える解像度）の画像情報が入力されることがないため、画像表示装置２に画像を縮小させるための機能を備える必要がなくなり、画像表示装置２の構成を簡略化することが可能となる。さらに、コンピュータ１及び画像表示装置２とも画像を縮小させていないため、縮小処理に伴う画像の劣化がない。
【００６９】
（２）本実施形態のコンピュータ１によれば、画像表示装置２に表示させる部分画像ＷＰの位置を変更することができるため、表示される領域が固定されることがなく、表示画像内の所望の領域を画像表示装置２に表示させることが可能となる。
【００７０】
（３）本実施形態のコンピュータ１によれば、タッチパッド２１やマウス３０等のポインティングデバイスになされた移動操作に基づいて部分画像ＷＰを移動させるため、部分画像ＷＰの移動を容易に行うことが可能となる。
【００７１】
（４）本実施形態のコンピュータ１によれば、無線ネットワーク（無線ＬＡＮ）を介して画像情報を出力する構成であるため、コンピュータ１と画像表示装置２とのケーブル接続が不要となり、レイアウトの自由度が高まる。
【００７２】
なお、本実施形態では、液晶ディスプレイ１６が第１の画像表示装置に相当し、外部の画像表示装置２が第２の画像表示装置に相当する。また、ビデオコントローラ１５から液晶ディスプレイ１６に出力される画像情報が第１の画像情報に相当し、無線ＬＡＮデバイス２２から無線ＬＡＮによって画像表示装置２に送信される画像情報が第２の画像情報に相当する。また、液晶ディスプレイ１６に画像情報を出力するビデオコントローラ１５が第１の画像情報出力部に相当し、画像表示装置２に画像情報を送信する無線ＬＡＮデバイス２２が第２の画像情報出力部に相当する。また、表示画像の中から画像表示装置２の解像度に応じた大きさの部分画像ＷＰを抽出し、部分画像ＷＰを表す画像情報を生成する際のＣＰＵ１１、即ちステップＳ１１８を実行する際のＣＰＵ１１が画像抽出部に相当する。また、タッチパッド２１やマウス３０等のポインティングデバイスの移動操作に応じて部分画像ＷＰの位置を変更する際のＣＰＵ１１、即ちステップＳ１１８においてポインタＰが重畳されている位置を中心にして部分画像ＷＰの位置を設定する際のＣＰＵ１１が領域移動部に相当する。
（変形例）
なお、前記実施形態は、以下のように変更してもよい。
【００７３】
前記実施形態では、ポインティングデバイス（タッチパッド２１或いはマウス３０）の移動操作によって、ポインタＰに追従するように部分画像ＷＰの位置を変更するようにしているが、部分画像ＷＰの位置を変更するための手段はこの態様に限定されない。例えば、図１１に示すように、ツールバーＷ３に部分画像ＷＰを上下左右に移動させるための４つのボタンＢＤを備えるようにして、このボタンＢＤがクリック操作される度に、対応する方向に所定の量（画素）だけ部分画像ＷＰを移動させるようにしてもよい。また、キーボード２０に対する所定のキー操作（上下左右に対応する４つのホットキーの操作）等がなされた場合に、その操作に応じて部分画像ＷＰを移動させるようにしてもよい。
また、図１２に示すように、画像表示装置２の解像度に応じた大きさ（画素数）の領域（部分画像ＷＰ）を透過して表示可能な枠状ウィンドウＷ５を液晶ディスプレイ１６の画面１６ａ上に表示するようにして、この枠状ウィンドウＷ５をドラッグ操作（クリック操作しながらの移動操作）等によって移動させることにより、部分画像ＷＰの位置を変更するようにしてもよい。
【００７４】
前記実施形態では、コンピュータ１から画像表示装置２に無線ネットワークを介して画像情報を出力する構成を示しているが、有線ネットワークやＵＳＢを介して出力する構成であっても同様の効果を得ることが可能である。
【００７５】
前記実施形態では、画像表示装置２にポインタＰを表示しない態様を示しているが、画像表示装置２にポインタＰを表示すべく、ポインタＰを含んだ画像（画像情報）を画像表示装置２に送信するようにしてもよい。また、ホットキーの操作、或いはツールバーＷ３に備わる図示しない所定のボタンのクリック操作によって、ポインタＰを表示する状態と表示しない状態とを切り替え可能な構成にすることも可能である。
【００７６】
前記実施形態では、情報処理装置の例として、画像表示装置（液晶ディスプレイ１６）、入力装置（キーボード２０）、ポインティングデバイス（タッチパッド２１）を一体的に備えたノート型のパーソナルコンピュータについて説明したが、情報処理装置は、ノート型のパーソナルコンピュータに限定されない。例えば、デスクトップ型のパーソナルコンピュータのように、画像表示装置、入力装置、ポインティングデバイスの全部又は一部を外付けで備える構成の情報処理装置（コンピュータ）であってもよい。
【００７７】
前記実施形態では、外部の画像表示装置２としてプロジェクタを用いた例を示したが、透過型のスクリーンを一体的に備えたリアプロジェクタ、或いは、液晶ディスプレイ、プラズマディスプレイ、ＳＥＤ（Surface-conduction Electron-emitter Display）、有機ＥＬ（Electro Luminescence）ディスプレイ等を用いることも可能である。
【００７８】
前記実施形態では、ポインティングデバイスとしてタッチパッド２１及びマウス３０を用いた例を示したが、トラックボールやジョイスティック、ペンタブレット等、他のポインティングデバイスを用いることも可能である。
【図面の簡単な説明】
【００７９】
【図１】実施形態に係るコンピュータを示す斜視図。
【図２】コンピュータの回路構成を示すブロック図。
【図３】画像表示装置の概略構成を示すブロック図。
【図４】無線ＬＡＮ接続ツールに基づくコンピュータの動作を説明するためのフローチャート。
【図５】無線ＬＡＮ接続ツールに基づくコンピュータの動作を説明するためのフローチャート。
【図６】無線ＬＡＮ接続ツールに基づくコンピュータの動作を説明するための説明図。
【図７】無線ＬＡＮ接続ツールに基づくコンピュータの動作を説明するための説明図。
【図８】無線ＬＡＮ接続ツールに基づくコンピュータの動作を説明するための説明図。
【図９】（ａ）〜（ｄ）は、無線ＬＡＮ接続ツールに基づくコンピュータの動作を説明するための説明図であり、液晶ディスプレイの画面及び外部の画像表示装置の画面（投射面）を示す図。
【図１０】（ａ）、（ｂ）は、無線ＬＡＮ接続ツールに基づくコンピュータの動作を説明するための説明図であり、液晶ディスプレイの画面及び外部の画像表示装置の画面（投射面）を示す図。
【図１１】変形例に係る無線ＬＡＮ接続ツールに基づくコンピュータの動作を説明するための説明図。
【図１２】変形例に係る無線ＬＡＮ接続ツールに基づくコンピュータの動作を説明するための説明図であり、液晶ディスプレイの画面及び外部の画像表示装置の画面（投射面）を示す図。
【符号の説明】
【００８０】
１…コンピュータ、２…画像表示装置、２ａ…画面（投射面）、１１…ＣＰＵ、１２…ノースブリッジ、１３…サウスブリッジ、１３ａ…ＵＳＢ端子、１４…ＲＡＭ、１５…ビデオコントローラ、１５ａ…ＶＲＡＭ、１６…液晶ディスプレイ、１６ａ…画面、１７…ハードディスクドライブ、１８…光ディスクドライブ、１９…ＢＩＯＳ−ＲＯＭ、２０…キーボード、２１…タッチパッド、２２…無線ＬＡＮデバイス、３０…マウス、４０…画像投写部、４１…光源、４２Ｒ，４２Ｇ，４２Ｂ…液晶ライトバルブ、４３…投写レンズ、４４…ライトバルブ駆動部、５０…制御部、５１…入力操作部、５２…無線ＬＡＮ通信部、５３…画像処理部、ＣＴ…無線ＬＡＮ接続ツール、Ｐ…ポインタ、Ｗ１…モード選択ウィンドウ、Ｗ２…接続ウィンドウ、Ｗ３…ツールバー、ＷＰ…部分画像。
【図１】
2009192670.tif 000003
【図２】
2009192670.tif 000004
【図３】
2009192670.tif 000005
【図４】
2009192670.tif 000006
【図５】
2009192670.tif 000007
【図６】
2009192670.tif 000008
【図７】
2009192670.tif 000009
【図８】
2009192670.tif 000010
【図９】
2009192670.tif 000011
【図１０】
2009192670.tif 000012
【図１１】
2009192670.tif 000013
【図１２】
2009192670.tif 000014